(57)【要約】  【課題】記録媒体の両面に高品質な画像を形成することができる画像記録装置およびその較正方法を提供する。  【解決手段】本発明の画像記録装置は、プリント画像データに基づいて記録媒体の表面および裏面の少なくとも１面に画像を形成する画像形成部と、表面および裏面に表裏の関係となるパッチが少なくとも色を異ならせて複数形成された較正チャートの少なくとも一面に記録された各パッチについて画像情報および形成位置を示す第１の位置情報を取得する取得手段と、記録媒体の表面および裏面の両面に画像を記録する際の補正量を算出する演算部と、補正量ならびに記録媒体の裏面および表面に記録する画像のプリント画像データの画像情報および前記記録媒体の形成位置情報に基づいてプリント画像データの画像データ補正量を算出し、プリント画像データを補正するプリント画像データ補正部とを有する。【選択図】図２
2006247927.tif 000002
【特許請求の範囲】
【請求項１】
プリント画像データに基づいて、記録媒体の表面および裏面の少なくとも１面に画像を形成する画像形成部と、
前記画像形成部に、前記記録媒体の表面および裏面に表裏の関係となるパッチが少なくとも色を異ならせて複数形成された較正チャートを少なくとも形成させるチャート生成部と、
前記較正チャートの少なくとも一面に記録された各パッチについて画像情報および記録媒体における形成位置を示す第１の位置情報を取得する取得手段と、
前記取得手段による各パッチの画像情報および前記第１の位置情報と、前記較正チャートの画像データによる前記各パッチの画像情報および前記記録媒体における形成位置を示す第２の位置情報とに基づいて、前記記録媒体の表面および裏面の両面に画像を記録する際の補正量を算出する演算部と、
前記補正量と、前記記録媒体の裏面および表面に記録するプリント画像データの画像情報および前記記録媒体の裏面および表面に記録する画像のプリント画像データの画像情報および前記記録媒体の形成位置情報とに基づいて前記プリント画像データの画像データ補正量を算出し、前記プリント画像データを補正するプリント画像データ補正部とを有し、
前記記録媒体の表面および裏面の両面に画像を形成する場合、前記プリント画像データ補正部により補正されたプリント画像データに基づいて前記画像形成部により、前記記録媒体の表面および裏面にそれぞれ画像が形成されることを特徴とする画像記録装置。
【請求項２】
さらに、前記記録媒体の少なくとも透過率および反射率が記憶された記録媒体種情報部を有し、前記記録媒体種情報部は、前記補正量の算出に利用されるものである請求項１に記載の画像記録装置。
【請求項３】
プリント画像データに基づいて、記録媒体の表面および裏面の少なくとも１面に画像を記録することができる画像記録装置の較正方法であって、
前記記録媒体の表面および裏面の各面に対する画像形成を較正する工程と、
前記記録媒体の表面および裏面に表裏の関係となるパッチが少なくとも色を異ならせて複数形成された較正チャートの少なくとも一面に記録された各パッチの画像情報および第１の位置情報を測定する工程と、
前記測定された各パッチの画像情報および第１の位置情報と、前記較正チャートの画像データによる前記各パッチの画像情報および前記記録媒体における形成位置を示す第２の位置情報とに基づいて、前記記録媒体の表面および裏面に画像を記録する際の補正量を算出する工程とを有することを特徴とする画像記録装置の較正方法。
【請求項４】
前記補正量と、前記記録媒体の裏面および表面に記録するプリント画像データの画像情報および前記記録媒体の裏面および表面に記録する画像のプリント画像データの画像情報および前記記録媒体の形成位置情報とに基づいて前記プリント画像データの画像データ補正量を算出し、前記プリント画像データを補正する工程を有する請求項３に記載の画像記録装置の較正方法。
【発明の詳細な説明】
【技術分野】
【０００１】
本発明は、記録媒体の両面に高品質な画像を形成することができる画像記録装置およびその較正方法に関する。
【背景技術】
【０００２】
現在、ネガフィルム、またはリバーサルフィルム等の写真フィルム（以下、フィルムという）に撮影された画像の感光材料（印画紙）への焼き付けは、フィルムに撮影された画像を光電的に読み取って、得られた信号をデジタル信号（画像濃度を表す画像データ）とした後、種々の画像処理を施して、記録用の画像データ（プリント信号）とし、この画像データに応じて変調した記録光で感光材料を露光し、現像して写真プリントとして出力することができるデジタルフォトプリンタが用いられている。
【０００３】
このようなデジタルフォトプリンタによれば、画像を光電的に読み取って、デジタル画像データとして画像処理を行うので、写真プリントに再生する画像の色および濃度を好適に補正できるばかりか、シャープネス処理および赤目補正などのように、通常の直接露光のプリンタでは基本的に不可能な画像処理を行って、高画質な画像を得ることができる。
また、デジタルフォトプリンタでは、画像を写真プリントとして出力するのみならず、写真プリントに画像を再生した画像データを画像ファイルとしてＣＤ−ＲまたはＭＯ（光磁気記録媒体）等の各種の記録媒体に出力したり、ＣＤ−Ｒなどの記録媒体、またはデジタルカメラなどから画像データを受け取り、この画像データによって形成される画像を再生した写真プリントを出力することも行われている。
【０００４】
ところで、このようなデジタルフォトプリンタのみならず、インクジェットプリンタ、サーマルヘッドを用いる感熱記録装置および電子写真方式の画像記録装置等の画像データに基づいて画像記録を行う画像記録装置では、供給された画像データに応じた適正な色および濃度を有する画像を出力できることが要求される。
しかしながら、露光光源または記録ヘッドの出力誤差等に起因する画像記録装置の個体差、製造ロットの違い等による感光材料特性の個体差、または処理液の劣化等の現像条件の変動等により画像出力（画像記録）の条件は様々な要因で変動する。その結果、画像記録装置では、画像データに応じた適正な画像が出力できない場合もある。
このような不都合を解消し、常に画像データに応じた適正な画像を出力するために、画像記録装置の較正、いわゆるキャリブレーションが行われている。
【０００５】
画像記録装置には、供給された画像データ（画像濃度を表す画像データ）に応じた適正な画像を出力するために、この画像データを、光源（レーザ）の発光特性、感光材料および印画紙（カラーペーパ）の露光特性に適応したプリント信号に変換する変換特性として、変換用ＬＵＴ（ルックアップテーブル）が配置されている。しかしながら、上述したような様々な画像出力条件の変動に対しても、画像データに応じた適正な画像を出力するために、キャリブレーションによって変換用ＬＵＴ自体を書き換えたり、変換用ＬＵＴ内に配置されている、濃度データを露光量データに変換するための露光変換ＬＵＴおよび／または露光量データをレーザ光源の駆動値（プリント信号）に変換するためのＬＵＴ、いわゆるキャリブレーションＬＵＴを書き換えることが行われている。
【０００６】
すなわち、キャリブレーションにおいては、通常、所定の濃度（基準濃度）を有する、例えば、カラーのＣ（シアン）、Ｍ（マゼンタ）およびＹ（イエロー）の３原色の単色のカラーパッチまたはグレーパッチが、所定の階調ステップで記録された所定の較正用のテストチャート（以下、キャリブレーションチャート（較正チャート）という）を出力する。そして、キャリブレーションチャートのカラーパッチの濃度を測定して、または、グレーパッチの濃度をＣＭＹ単色に分解して測定して、キャリブレーションチャートのパッチの各単色の基準濃度と、出力されたキャリブレーションチャートのパッチを測定した各単色の濃度（以下、パッチの各単色の測定濃度という）との偏差を求める。そして、この偏差に応じて、上述した変換用ＬＵＴ自体を、または、露光変換ＬＵＴおよび／またはキャリブレーションＬＵＴを書き換えている。
【０００７】
上述の画像記録装置のキャリブレーションを適正に行うために、従来から種々の方法が提案されている（例えば、特許文献１および特許文献２参照）。
【０００８】
特許文献１には、第１の画像信号を第２の画像信号に変換する画像信号変換条件を調整して較正を行う際、較正用のテストチャート画像のパッチ数が少なくても、高精度な調整を行うことができる画像記録装置が開示されている。
この特許文献１の画像記録装置においては、記録媒体に画像を記録する記録手段と、第１の画像信号と記録手段により画像を記録するための第２の画像信号との関係を示す画像信号変換条件を用いて、第１の画像信号の信号値を変換して第２の画像信号の信号値を生成する画像信号変換手段と、第２の画像信号のテストチャート出力画像信号値を用いて、記録手段により記録されたテストチャート画像の測定濃度値を得る濃度測定手段と、第１の画像信号と記録媒体に記録する画像の目標濃度との関係を示し、濃度測定手段で得られる測定濃度値のデータ数よりも多いデータ数を有する目標濃度データから、測定濃度値に対応して参照濃度値を選択する参照濃度値選択手段と、目標濃度データおよび前記参照濃度値を用いて、測定濃度値に対応するテストチャート目標画像信号値を算出し、このテストチャート目標画像信号値とテストチャート出力画像信号値とに基づいて、画像信号変換条件を算出する変換条件算出手段とを有する。特許文献１の画像記録装置は、所望の画像の第１の画像信号の信号値から前記画像信号変換条件を用いて変換された第２の画像信号の信号値を用いて画像を記録する。
【０００９】
また、特許文献２のキャリブレーション方法には、既に装着されている旧濃度計に対応するキャリブレーション演算モジュール、および旧濃度計とは異なる新濃度計に対応するキャリブレーション演算モジュールを記憶しておくと共に、新濃度計には、機種を識別するための識別情報の出力手段を付与し、キャリブレーションを行う際には、新濃度計から出力される識別情報から、この濃度計が旧濃度計か新濃度計かを識別し、この識別結果に応じて、対応するキャリブレーション演算モジュールを用いる方法が開示されている。
【００１０】
さらに、記録媒体の両面に画像を記録するものも提案されている（特許文献３参照）。このように記録媒体の両面に画像を記録する画像記録装置について、両面に記録された画像のキャリブレーション方法も提案されている（特許文献４参照）。
【００１１】
特許文献３の画像記録装置においては、記録シートの搬送路に沿って、記録シートの第１面に対面するように配置される第１記録部および第２記録部が設けられている。これらの第１記録部と第２記録部との間に分岐ガイドと送り方向変換部とが設けられている。分岐ガイドは、各シフト機構により、分岐ガイド位置と戻しガイド位置と退避位置との間で変位することができるものである。両面プリント時には、第１記録部で記録シートの第１面に表面画像を記録する。この記録シートを分岐ガイド位置にセットされた分岐ガイドを介して送り方向変換部に送る。記録シートの後端が分岐ガイドを出た後に、送り方向変換部の送り向きを変えて、戻しガイド位置にセットされた分岐ガイドにより記録シートを第２記録部へ送る。第２記録部で記録シートの第２面に裏面画像を記録する。片面プリントでは、各記録部へ記録シートを送り、各記録部でそれぞれ表面画像を記録する。
これにより、特許文献３の画像記録装置においては、両面または片面のプリントを効率よく行うことができる。
【００１２】
さらに、特許文献４の両面印刷機の印刷濃度管理装置においては、目標となる濃度値と印刷物の濃度値との濃度差をインキ装置毎に表示する表示手段と、この表示手段に表示されたインキ装置毎の濃度差のうちから、色補正の対象となるインキ装置を任意に選択するための補正対象入力手段と、この補正対象入力手段によって選択されたインキ装置におけるインキ量をそのインキ装置に対応した濃度差に基づいて制御するインキ量制御手段とを備えるものである。表示手段は、表面の濃度差と裏面の濃度差とを表示可能に構成されており、補正対象入力手段は、表面のインキ装置と裏面のインキ装置とを選択可能に構成されている。
【００１３】
【特許文献１】特開２００２−７７６２０号公報
【特許文献２】特開２００３−２８３８３３号公報
【特許文献３】特開２００３−２６６８０３号公報
【特許文献４】特開２００３−１５４６２９号公報
【発明の開示】
【発明が解決しようとする課題】
【００１４】
しかしながら、特許文献１の画像記録装置および特許文献２のキャリブレーション方法は、いずれも記録媒体の片面だけに画像を記録する画像記録装置におけるキャリブレーション方法を開示するものであり、記録媒体の両面に画像を記録する画像記録装置におけるキャリブレーション方法を開示するものではない。
【００１５】
さらに、特許文献４の両面印刷機の印刷濃度管理装置は、記録媒体の両面に画像を記録する際の印刷濃度を管理するものであるものの、記録媒体の表面および裏面に記録された画像が、反対側の面に及ぼす影響を考慮するものではない。このため、表面および裏面について個別にキャリブレーションしても、相互の画像が反対側の面に影響を及ぼし、各面における画像の濃度が変動し、必ずしも適正な濃度であることが保証されないという問題点がある。このため、両面に画像を記録した印刷物の品質を保証することができない。
【００１６】
本発明の目的は、前記従来技術に基づく問題点を解消し、記録媒体の両面に高品質な画像を形成することができる画像記録装置およびその較正方法を提供することにある。
【課題を解決するための手段】
【００１７】
前記目的を達成するために、本発明の第１の態様は、プリント画像データに基づいて、記録媒体の表面および裏面の少なくとも１面に画像を形成する画像形成部と、前記画像形成部に、前記記録媒体の表面および裏面に表裏の関係となるパッチが少なくとも色を異ならせて複数形成された較正チャートを少なくとも形成させるチャート生成部と、前記較正チャートの少なくとも一面に記録された各パッチについて画像情報および記録媒体における形成位置を示す第１の位置情報を取得する取得手段と、前記取得手段による各パッチの画像情報および前記第１の位置情報と、前記較正チャートの画像データによる前記各パッチの画像情報および前記記録媒体における形成位置を示す第２の位置情報とに基づいて、前記記録媒体の表面および裏面の両面に画像を記録する際の補正量を算出する演算部と、前記補正量と、前記記録媒体の裏面および表面に記録するプリント画像データの画像情報および前記記録媒体の裏面および表面に記録する画像のプリント画像データの画像情報および前記記録媒体の形成位置情報とに基づいて前記プリント画像データの画像データ補正量を算出し、前記プリント画像データを補正するプリント画像データ補正部とを有し、前記記録媒体の表面および裏面の両面に画像を形成する場合、前記プリント画像データ補正部により補正されたプリント画像データに基づいて前記画像形成部により、前記記録媒体の表面および裏面にそれぞれ画像が形成されることを特徴とする画像記録装置を提供するものである。
【００１８】
本発明においては、さらに、前記記録媒体の少なくとも透過率および反射率が記憶された記録媒体種情報部を有し、前記記録媒体種情報部は、前記補正量の算出に利用することが好ましい。
【００１９】
また、本発明の第２の態様は、プリント画像データに基づいて、記録媒体の表面および裏面の少なくとも１面に画像を記録することができる画像記録装置の較正方法であって、前記記録媒体の表面および裏面の各面に対する画像形成を較正する工程と、前記記録媒体の表面および裏面に表裏の関係となるパッチが少なくとも色を異ならせて複数形成された較正チャートの少なくとも一面に記録された各パッチの画像情報および第１の位置情報を測定する工程と、前記測定された各パッチの画像情報および第１の位置情報と、前記較正チャートの画像データによる前記各パッチの画像情報および前記記録媒体における形成位置を示す第２の位置情報とに基づいて、前記記録媒体の表面および裏面に画像を記録する際の補正量を算出する工程とを有することを特徴とする画像記録装置の較正方法を提供するものである。
【００２０】
本発明においては、さらに、前記補正量と、前記記録媒体の裏面および表面に記録するプリント画像データの画像情報および前記記録媒体の裏面および表面に記録する画像のプリント画像データの画像情報および前記記録媒体の形成位置情報とに基づいて前記プリント画像データの画像データ補正量を算出し、前記プリント画像データを補正する工程を有することが好ましい。
【発明の効果】
【００２１】
本発明の画像記録装置によれば、記録媒体の表面および裏面に表裏の関係となるパッチが少なくとも色を異ならせて複数形成された較正チャートの少なくとも一面に記録された各パッチについて画像情報および記録媒体における形成位置を示す第１の位置情報を取得する取得手段と、この取得手段による各パッチの画像情報および第１の位置情報と、較正チャートの画像データによる各パッチの画像情報および記録媒体における形成位置を示す第２の位置情報とに基づいて、記録媒体の表面および裏面の両面に画像を記録する際の補正量を算出する演算部と、この補正量と、記録媒体の裏面および表面に記録するプリント画像データの画像情報および裏面および表面に記録する画像のプリント画像データの画像情報および記録媒体の形成位置情報とに基づいてプリント画像データの画像データ補正量を算出し、プリント画像データを補正するプリント画像データ補正部とを設けることにより、記録媒体の表面および裏面の両面に記録された各画像がそれぞれ反対側の面の画像に、例えば、画像の色みの変化および濃度の変化などの影響を与える場合、その影響を抑制し、片面だけに画像を記録して得られる画像と同等の画質となるように補正できる。これにより、記録媒体の表面および裏面の両面に画像を形成する場合、プリント画像データ補正部により補正されたプリント画像データに基づいて、記録媒体の表面および裏面にそれぞれ画像を形成することができる。このため、記録媒体の両面に高品質な画像を形成することができる。
【００２２】
また、本発明の画像記録装置の較正方法によれば、記録媒体の表面および裏面の各面に対する画像形成を較正する工程と、記録媒体の表面および裏面に表裏の関係となるパッチが少なくとも色を異ならせて複数形成された較正チャートの少なくとも一面に記録された各パッチの画像情報および第１の位置情報を測定する工程と、測定された各パッチの画像情報および第１の位置情報と、較正チャートの画像データによる各パッチの画像情報および記録媒体における形成位置を示す第２の位置情報とに基づいて、記録媒体の表面および裏面に画像を記録する際の補正量を算出する工程とを有するものである。この補正量は、記録媒体の表面および裏面の両面に記録された各画像がそれぞれ反対側の面の画像に、例えば、画像の色みの変化および濃度の変化などの影響を与える場合、その影響を抑制し、片面だけに画像を記録して得られる画像と同等の画質となるように補正できるものである。これにより、本発明の画像記録装置の較正方法を用いて、較正した画像記録装置により、記録媒体の両面に高品質な画像を形成することができる。
【発明を実施するための最良の形態】
【００２３】
以下、本発明の画像記録装置およびその較正方法について、添付の図面に示される好適実施例を基に詳細に説明する。
【００２４】
図１は、本発明の実施例に係る画像記録装置を示す模式図である。
図１に示す画像記録装置１０は、記録媒体（感光材料）Ｍの両面に画像記録ができる両面画像記録装置である。
この画像記録装置１０は、光ビーム走査露光を利用して記録媒体Ｍを露光記録するものであり、例えば、ロール状に巻き回された長尺状の記録媒体Ｍから所定の長さだけ引き出されてカットされたカットシート状の記録媒体（以下、シート体ともいう）Ｍを露光位置（図示せず）に搬送し、プリント画像データ入力部４０から供給されたプリント画像データに応じて変調した光ビームを主走査方向に偏向するとともに、主走査方向と直交する副走査方向に記録媒体Ｍを走査搬送することにより、光ビーム（図示せず）によって記録媒体Ｍを走査露光して画像を形成するものである。なお、記録媒体Ｍは、長尺状の基材の表面および裏面の両面に感光層が形成されたものである。
【００２５】
画像記録装置１０は、供給部１２と、裏印字部１４と、画像形成部１６と、第１濃度測定部１８ａおよび第２濃度測定部１８ｂと、制御部２０と、記録媒体をこれらの間を搬送する搬送手段２８とを有する。また、制御部２０は、画像記録装置１０の全体の動作を制御するものである。これらの第１濃度測定部１８ａおよび第２濃度測定部１８ｂは、本発明の取得手段を構成するものである。
【００２６】
本実施例の画像記録装置１０は、プリント画像データ入力部４０が接続されており、このプリント画像データ入力部４０によりプリント画像データが画像記録装置１０に入力される。
【００２７】
プリント画像データ入力部４０としては、例えば、受付機（図示せず）を用いることができる。この受付機は、プリント店またはコンビニエンスストアの店頭等に設置され、デジタル画像からのプリント作成等の注文を受け付ける装置であり、デジタルカメラ（以下、ＤＳＣという）または撮像機能付きの携帯電話等の撮像装置、これらの撮像装置で撮影した画像をデジタル画像として記憶した記録媒体から、画像（デジタル画像）を読み取り、自身が有するモニタに読み取った画像を必要に応じて表示し、かつ各画像のプリント枚数、プリントサイズ、仕上がり指示の情報、および各種の特殊処理等などの注文情報の入力機能を有するものである。受付機に入力されたデジタル画像が所定の通信手段を介して画像記録装置１０にプリント画像データとして入力される。
【００２８】
受付機においては、注文情報が入力されて注文が確定されると、例えば、受付番号を注文情報に付与するとともに、受付日時も記録する。また、注文情報を照合し、以前に入力された顧客である場合には、予め付与されている顧客ＩＤを付与する。一方、以前に入力された顧客でない場合には、顧客ＩＤを新たに付与する。このように、受付機においては、注文情報に受付番号、受付日時、および顧客ＩＤを付与して、プリント注文されたデジタル画像とともに画像記録装置１０に出力する。
さらに、受付機は、メモリカード、ＣＤ、ＭＯ、またはＦＤなどのメディアからプリント画像データなどを読み出すためのメディアドライブを備えていても良い。
【００２９】
また、プリント画像データ入力部４０としては、ネガフィルムに撮影された被写体の画像、または画像が記録された写真プリントを光電的に読み取り、ネガフィルムまたは写真プリントに記録された画像のデジタル画像データを取得するスキャナを用いることもできる。このスキャナにより得られたデジタル画像データがプリント画像データとして画像記録装置１０に出力される。
【００３０】
スキャナは、例えば、ネガフィルム等に撮影された画像を１コマずつ光電的に読み取る透過光を読み取るスキャナである。このスキャナは、光源と、可変絞りと、画像をＲ（赤）、Ｇ（緑）およびＢ（青）の三原色に分解するためのＲ、ＧおよびＢの３枚の色フィルタを有し、回転して任意の色フィルタを光路に作用する色フィルタ板と、フィルムに入射する読取光をフィルムの面方向で均一にする拡散ボックスと、結像レンズユニットと、フィルムの１コマの画像を読み取るエリアセンサであるＣＣＤセンサと、アンプ（増幅器）と、Ｒ，ＧおよびＢの各出力信号を、Ａ／Ｄ（アナログ／デジタル）変換、Ｌｏｇ変換、ＤＣオフセット補正、暗時補正、およびシェーディング補正等を行うデータ処理部を有して構成される。
【００３１】
また、このスキャナは、新写真システム(Advanced Photo System)または１３５サイズのネガ（あるいはリバーサル）フィルム等のフィルムの種類、サイズ、ストリップス、スライド等のフィルムの形態等に応じて、スキャナの本体に装着自在な専用のキャリアが用意されており、キャリアを交換することにより、各種のフィルム、および処理に対応することができる。フィルムに撮影され、プリント作成に供される画像（コマ）は、このキャリアによって所定の読取位置に搬送、保持される。また、周知のように、新写真システムのフィルムには、磁気記録媒体が形成され、カートリッジＩＤまたはフィルム種等が記録されており、さらに、撮影時または現像時等に、撮影日時、撮影時のストロボ発光の有無、撮像倍率、撮影シーンＩＤ、主要部位置の情報、および現像機の種類等の各種のデータが記録可能である。新写真システムのフィルム（カートリッジ）に対応するキャリアには、この磁気情報の読取手段が配置されており、フィルムを読取位置に搬送する際に磁気情報を読み取り、前記各種の情報が画像処理装置に送られる。
【００３２】
このようなスキャナにおいては、光源から射出され、可変絞りによって光量調整され、色フィルタ板を通過して色調整され、拡散ボックスで拡散された読取光が、キャリアによって所定の読取位置に保持されたフィルムの１コマに入射して、透過することにより、フィルムに撮影されたこのコマの画像を担持する投影光を得る。フィルムの投影光は、結像レンズユニットによってＣＣＤセンサの受光面に結像され、ＣＣＤセンサによって光電的に読み取られ、その出力信号がアンプで増幅されて、画像記録装置１０に送られる。ＣＣＤセンサは、例えば、１３８０×９２０画素のエリアＣＣＤセンサが用いられる。
【００３３】
スキャナにおいては、このような画像読取を、色フィルタ板の各色フィルタを順次挿入して３回行うことにより、１コマの画像をＲ，ＧおよびＢの３原色に分解して読み取る。
【００３４】
スキャナは、エリアＣＣＤセンサを用い、色フィルタ板によって読取光を調整することにより、原稿画像（フィルムの投影光）を３原色に分解して画像の読み取りを行っているが、本発明の画像処理装置に画像データを供給するスキャナとしては、Ｒ，ＧおよびＢの３原色のそれぞれの読み取りに対応する３つのラインＣＣＤセンサを用い、フィルムをキャリアで走査搬送しつつスリット状の読取光（投影光）によって画像読取を行う、いわゆるスリット走査によって画像を読み取る画像読取装置であってもよい。
【００３５】
本実施例の画像記録装置１０においては、プリント画像データ入力部４０として、ＤＳＣ、ＰＣおよび携帯電話などのデジタル画像の入力手段に限定されるものではなく、撮像機能を含む画像のデジタル画像の取得手段を有し、かつ後述するように通信手段によって画像記録装置１０と接続可能なものであれば、各種のものが利用可能である。例えば、デジタルビデオカメラ、またはＰＤＡ(Personal Digital Assistance)等である。
【００３６】
ＤＳＣは、撮影画像の表示等を行うためのディスプレイを有するものである。ＰＣは、通常のパーソナルコンピュータと同様に、本体、ディスプレイ、マウスおよびキーボード等の操作手段を有するものである。さらに、携帯電話は、撮影機能および撮影画像の表示等を行うためのディスプレイを有するものである。
なお、ＤＳＣ、ＰＣ、および携帯電話はともに、各機器（装置）が有する通常の機能に加え、受付機と同様の注文情報の入力機能を有する。
【００３７】
また、受付機、ＤＳＣ、ＰＣ、および携帯電話において、注文情報の入力手段は、キーボード、マウス、タッチパネル、操作キー、操作ボタン、ディスプレイなどを用い、ＧＵＩ(Graphical User Interface)などを利用する公知の手段で構成すればよい。
【００３８】
本実施例の画像記録装置１０において、供給部１２は、記録媒体Ｍを供給するものであり、例えば、ロール状に巻き回された長尺な記録媒体Ｍが遮光性を有する筐体に収納されたマガジン２２ａ、２２ｂが装填される部位である。
マガジン２２ａ、２２ｂには、通常、記録媒体Ｍのサイズ（幅）、シルクおよびマット等の感光面の種類、ならびに仕様（厚さおよびベースの種類）等、互いに種類の異なる記録媒体Ｍが収納される。本実施例では、マガジン２２ａ、２２ｂを２個設けているが、本発明においては、マガジンの数は、特に限定されるものではない。本発明においては、マガジンは、１個でもよく、また、３個以上であってもよい。
また、例えば、マガジン２２ａ、２２ｂのいずれかには、長尺の基材の表面だけに感光層が形成された記録媒体が収納されている。この表面だけに感光層が形成された記録媒体を用いて片面プリントが作製される。
【００３９】
マガジン２２ａ、２２ｂには、内部に収納された記録媒体Ｍを引き出して搬送するための引出ローラ対２４が設けられている。
また、マガジン２２ａ、２２ｂの出口から所定の長さ離間した位置にカッタ２６が設けられている。
引出ローラ対２４は、カッタ２６で所定の長さのシート体とするためにプリント長さに応じて記録媒体Ｍを所定の長さだけ引き出した後、引き出しを停止する。
【００４０】
カッタ２６は、制御部２０から送られてきた制御信号に基づいて、各マガジン２２ａ、２２ｂから引き出された記録媒体Ｍを裁断するものであり、制御部２０によりカッタ２６の記録媒体Ｍの切り出し間隔が調整される。このカッタ２６により所定長さにカットされたシート体は、裏印字部１４に送られる。なお、本実施例においては、供給部１２は長尺な記録媒体Ｍを切断してシート体を供給するものに限定されるものではなく、予め所定の大きさに形成されたシート体を供給するようにしてもよい。また、カッタは各マガジン毎に１ヶずつ配置してもよい。
【００４１】
また、各マガジン２２ａ、２２ｂに収納された記録媒体Ｍの種類を、例えば、バーコードで記録しておき、各マガジン２２ａ、２２ｂが装填される供給部１２に読取装置を設け、この読取装置によりバーコードを読み取り、後述する制御部２０の記録媒体種情報部６２に出力して記録媒体Ｍの種類を特定できるようにしてもよい。
【００４２】
裏印字部１４は、シート体の表面だけに画像を記録する場合、すなわち、片面プリントの場合には、シート体の裏面に写真の撮影日、プリント焼付日、コマ番号、フィルムＩＤ番号（符号）、撮影に使用したカメラのＩＤ番号、フォトプリンタのＩＤ番号等の各種情報、いわゆるバックプリントを制御部２０からの制御信号に基づいて、記録（裏印字）するものであり、シート体を搬送する搬送ローラ対と、裏印字ヘッド（図示せず）とを有する。
【００４３】
シート体は、ローラおよびローラ対によって上方に搬送されながら、その裏面に裏印字ヘッドによってバックプリントが記録される。裏印字部１４としては、インクジェットヘッド、ドットインパクトプリントヘッドまたは熱転写プリントヘッド等公知のプリントヘッドが用いられる。
【００４４】
画像形成部１６は、記録媒体Ｍの表面および裏面の両面に画像を形成（記録）するものである。この画像形成部１６は、例えば、記録媒体Ｍの表面に画像（潜像）を形成する第１像形成部３０ａと、記録媒体Ｍの裏面に画像（潜像）を形成する第２像形成部３０ｂと、記録媒体Ｍの表面および裏面に形成された潜像を現像する現像処理部３２とを有する。
第１像形成部３０ａおよび第２像形成部３０ｂとは、配置位置が異なるだけであり、構成は同じであり、同様の画像記録ができる。このため、第１像形成部３０ａの構成だけを説明し、第２像形成部３０ｂの構成の説明は省略する。
【００４５】
第１像形成部３０ａは、例えば、レーザビーム等の光ビームを記録光として用いる公知の光ビーム走査装置である。この光ビーム走査装置は、シート体の赤（Ｒ）露光、緑（Ｇ）露光および青（Ｂ）露光のそれぞれに対応する光ビームを射出する光源、およびこの光源から射出された光ビームを、プリント画像データ入力部４０から供給される画像処理後のプリント画像データに応じて変調するＡＯＭ（音響光学変調器）等の変調手段、変調された光ビームを、搬送方向と直交する方向（主走査方向）に偏向するポリゴンミラー等の光偏向器、主走査方向に偏向された光ビームを露光位置上の所定位置に所定のビーム径で結像させるｆθ（走査）レンズ光路調整用のミラー等を有して構成される。
【００４６】
また、ＰＤＰ（プラズマディスプレイ）アレイ、ＥＬＤ（エレクトロルミネセントディスプレイ）アレイ、ＬＥＤ（発光ダイオード）アレイ、ＬＣＤ（液晶ディスプレイ）アレイ、ＤＭＤ（デジタルマイクロミラーデバイス、登録商標）アレイおよびレーザアレイ等の搬送方向と直交する主走査方向に延在する各種の発光アレイまたは空間変調素子アレイ等を用いるデジタルの露光手段でもよい。
なお、第１像形成部３０ａの露光位置で行う光ビームの主走査の幅は、シート体の幅に対応するように設定される。第１像形成部３０ａの上記動作は、制御部２０からの制御信号によって制御される。
【００４７】
記録光である光ビームは主走査方向に偏向され、一方、シート体は副走査ローラ対によって搬送されるので、画像データに応じて変調されている光ビームによってシート体は２次元的に走査露光され、画像が記録される。
なお、シート体の搬送方向と直交する主走査方向に走査記録を行うことにより搬送中のシート体に画像を記録する構成であれば、その構成は、特に限定されるものではない。
さらに、光ビームによって２次元的に走査露光されたシート体を搬送する搬出部（図示せず）が設けられている。
【００４８】
第２像形成部３０ｂの下流側に、現像処理部３２が設けられている。この現像処理部３２は、露光済みの潜像の記録されたシート体（感光材料）に、所定の現像処理および乾燥処理等を施して、シート体をフィルムに撮影された画像が再生された写真プリントとするものである。この現像処理部３２は、現像部と、乾燥部とを有する。
【００４９】
現像部は、例えば、シート体の搬送方向上流側から順に、シート体を現像する現像槽、および現像された像を定着する定着漂白槽、ならびにシート体を水洗する第１水洗槽、第２水洗槽、第３水洗槽および第４水洗槽が水平方向に並べて設けられている。現像処理されたシート体を乾燥する乾燥部は、第４水洗槽の下流側に設けられている。
【００５０】
また、現像処理部３２においては、現像部の現像槽により現像されて、定着漂白槽により定着されて、第１水洗槽、第２水洗槽、第３水洗槽および第４水洗槽により水洗されて、乾燥部において、例えば、ヒータ（図示せず）および送風機（図示せず）により、乾燥されて写真プリントとなる。
【００５１】
乾燥部には、さらに、搬送部が接続されており、写真プリントが画像記録装置１０の外部に搬送される。
現像処理部３２の下流側には、写真プリントＰの搬送方向と直交する方向、すなわち、写真プリントＰの表面Ｐｆ側および裏面Ｐｂ側にそれぞれ、第１濃度測定部１８ａおよび第２濃度測定部１８ｂが設けられている。第１濃度測定部１８ａおよび第２濃度測定部１８ｂは、同じ構成であり、第１濃度測定部１８ａの構成だけを説明し、第２濃度測定部１８ｂの説明は省略する。
【００５２】
第１濃度測定部１８ａは、画像記録装置１０の写真プリントＰの出力較正の際に、キャリブレーションチャート（較正チャート）の各パッチの濃度（画像情報）および各パッチの画像形成位置（第１の位置情報）を測定するものであり、本発明において実施するキャリブレーションに応じた公知の濃度計を有する。
また、第１濃度測定部１８ａは、キャリブレーションチャートの各パッチの濃度を測定するための直交する２方向に移動可能な２次元ステージを有する。キャリブレーションチャートの各パッチの形成位置は、キャリブレーションチャートデータにより特定されている。このため、２次元ステージをキャリブレーションチャートデータに基づいて移動させて、濃度計により各パッチの濃度を測定することにより、各パッチの濃度とともに、各パッチのキャリブレーションチャートにおける画像形成位置も測定される。
【００５３】
第１濃度測定部１８ａにおける濃度計としては、例えば、Ｒ（赤）、Ｇ（緑）およびＢ（青）のそれぞれの光を射出するＬＥＤ光源を有し、キャリブレーションチャートのグレーパッチの濃度をカラーの３原色の各単色毎に分解して測定し、各単色毎の分解測定結果から、グレーパッチのＣ（シアン）濃度、Ｍ（マゼンタ）濃度およびＹ（イエロー）濃度を得ることができるとともに、キャリブレーションのカラーパッチの３原色の各単色の濃度を測定し、この測定結果から、各単色毎のＣ濃度、Ｍ濃度およびＹ濃度を得ることができる濃度計が例示される。また、白色光を射出する白色光源を有し、Ｒ、ＧおよびＢのそれぞれの光を透過するフィルタを備え、同様にカラーの３原色の各単色毎に計測し、Ｃ濃度、Ｍ濃度およびＹ濃度を得ることができる濃度計を用いても良い。
【００５４】
第１濃度測定部１８ａの濃度計は、Ｒ光、Ｇ光およびＢ光によってそれぞれＣ、ＭおよびＹ濃度を測定するものに限定されるものではない。例えば、濃度計は、白色光によるグレーパッチの反射輝度を計測して、測定されたグレーの反射輝度から各単色の濃度、すなわちＣ、ＭおよびＹ濃度を算出するようにしても良いし、カラーパッチの各単色毎の反射輝度を測定し、測定された各単色の反射輝度からＣ、ＭおよびＹの各単色の濃度を算出するようにしても良い。
【００５５】
図２に示すように、制御部２０は、プリント画像データ変換部５０、両面プリント時補正テーブル５２、演算部５４、両面プリント時補正ＬＵＴ５６、テーブル変換部５８およびチャート生成部６０および記録媒体種情報部６２を有する。
両面プリント時補正テーブル５２およびテーブル変換部５８により本発明のプリント画像データ補正部を構成する。
【００５６】
制御部２０において、プリント画像データ変換部５０は、画像形成部１６、プリント画像データ入力部４０、演算部５４およびチャート生成部６０に接続されている。
両面プリント時補正テーブル５２は、画像形成部１６、プリント画像データ変換部５０およびテーブル変換部５８に接続されている。
演算部５４は、第１濃度測定部１８ａおよび第２濃度測定部１８ｂ、両面プリント時補正ＬＵＴ５６、チャート生成部６０ならびに記録媒体種情報部６２に接続されている。
両面プリント時補正ＬＵＴ５６は、テーブル変換部５８に接続されている。
【００５７】
プリント画像データ変換部５０は、プリント画像データ入力部４０から入力されたプリント画像データを、写真プリントとして画像形成部１６から出力できる出力用画像データに変換するものである。また、プリント画像データ変換部５０は、プリント画像データに、画像の色／濃度（調子再現、色再現）および像構造（鮮鋭度、粒状性）等が適正な画像を出力するための基本的な画像処理を施す基本画像処理機能を有するものでもあり、プリント画像データを画質的に完成したものとする。この基本的な画像処理とは、例えば、画像の拡大もしくは縮小（電子変倍処理）、階調補正、色／濃度補正、彩度補正、およびシャープネス処理である。
【００５８】
また、プリント画像データ変換部５０は、プリント画像データ入力部４０から入力されたプリント画像データにより、出力先を変える機能も有する。例えば、注文情報として片面プリントまたは両面プリントの指定をプリント画像データに付与しておき、この注文情報に基づいて、片面に画像を記録する場合には、画像形成部１６に出力し、両面に画像を記録する場合には、両面プリント時補正テーブル５２に出力する。
【００５９】
なお、プリント画像データ変換部５０におけるプリント画像データから出力用画像データへの変換は、例えば、ＬＵＴが用いられる。また、このＬＵＴは、キャリブレーションの際に演算部５４による演算結果に基づいて設定または変更されるものである。
プリント画像データ変換部５０のＬＵＴは、記録媒体の表面および裏面のいずれかの面に画像を形成するために用いられるものであり、プリント画像データ変換部５０には、表面用ＬＵＴおよび裏面用ＬＵＴがそれぞれ独立に設けられている。
【００６０】
また、プリント画像データ変換部５０が有する基本画像処理機能は、プリント画像データ入力部４０に設けてもよく、画像形成部１６に出力する前段で基本画像処理をプリント画像データに施すことができれば、設ける位置は特に限定されるものではない。
【００６１】
両面プリント時補正テーブル５２は、両面プリント時において、表面および裏面に形成される各画像によるそれぞれ反対側の面の画像への影響を抑制しつつ、各面における画像が、片面プリント時と同等の品質で適正に再現されるように補正するものである。この両面プリント時補正テーブル５２により、両面プリント画像データが補正出力用画像データに変換される。なお、両面プリント時補正テーブル５２の作成方法については、後で詳細に説明する。
【００６２】
演算部５４は、写真プリントＰの画像を適正に再現するために、プリント画像データ変換部５０の表面用ＬＵＴおよび裏面用ＬＵＴ、ならびに両面プリント時補正ＬＵＴ５６を作成するものである。プリント画像データ変換部５０の表面用ＬＵＴおよび裏面用ＬＵＴ、ならびに両面プリント時補正ＬＵＴ５６の作成方法については後で詳細に説明する。
【００６３】
両面プリント時補正ＬＵＴ５６は、記録媒体Ｍの表面および裏面の両面に画像を記録するとき、表面または裏面に記録された各画像がそれぞれ反対側の面の画像に、例えば、画像の色みの変化および濃度の変化などの影響を与える場合、その影響を抑制し、片面だけに画像を記録して得られる画像と同等の画質となるように補正するためのものである。
この両面プリント時補正ＬＵＴ５６においては、表裏の関係にある複数の色の組み合わせについて、その組み合わせられた色の色みの変化および濃度の変化などの影響を抑制する補正量をテーブルとして有するものである。なお、両面プリント時補正ＬＵＴ５６の作成方法については、後で詳細に説明する。
【００６４】
テーブル変換部５８においては、両面プリント画像データの表面側の各画素の画像データと、裏面側の各画素の画像データとについて、それぞれ表裏の関係となる各画素の画素データを組み合わせた表裏の画像データ対と、両面プリント時補正ＬＵＴ５６の各色の組み合わせによる補正量とを対応付ける。そして、表面側の各画素の画像データと、裏面側の各画素の画像データとに対してそれぞれ補正量を算出する。次に、表面側の各画素の画像データと、裏面側の各画素の画像データとに対応する補正テーブルを作成するものである。この補正テーブルが両面プリント時補正テーブル５２に出力される。
【００６５】
チャート生成部６０は、キャリブレーションチャートを記録するための画像データ（以下、チャートデータという）を記憶しているものであって、キャリブレーションを行う際に、チャートデータをプリント画像データ変換部５０および演算部５４に供給するものである。
【００６６】
チャート生成部６０には、表面側または裏面側の片面画像のキャリブレーション、および両面画像のキャリブレーションに用いる少なくとも２種類のキャリブレーションチャートのチャートデータを有する。
なお、本発明においては、キャリブレーションチャートは限定されるものではなく、実施する較正方法に応じたキャリブレーションチャートが、各種利用可能である。例えば、片面画像のキャリブレーションに用いるキャリブレーションチャートとして８段階の階調のグレーまたは単色（Ｃ，Ｍ，Ｙ）のステップウエッジを用い、Ｃ、ＭおよびＹの割合が共に同一のグレーパッチを、等間隔で８階調有するチャートデータ、またはＣ、ＭおよびＹのパッチが各列ごとに等間隔で８階調有するチャートデータが例示される。
【００６７】
また、両面画像のキャリブレーションに用いる両面用のキャリブレーションチャートは、例えば、記録媒体の表面および裏面に表裏の関係となるパッチが少なくとも色を異ならせて複数形成されたものである。このキャリブレーションチャートは、複数の白黒およびカラーのパッチからなるものであり、表面側および裏面側の全てのパッチにおいて、表面側のパッチと、表面側のパッチに対応する裏面側のパッチとはそれぞれ色が少なくとも異なる。さらに、表面側のパッチと、表面側のパッチに対応する裏面側のパッチとは濃度も異なることが好ましい。
【００６８】
記録媒体種情報部６２は、マガジン２２ａ、２２ｂに収納された記録媒体Ｍについて、透過率および反射率などの記録媒体情報が蓄積されているものである。なお、上述の如く、マガジン２２ａ、２２ｂに収納された記録媒体Ｍの情報を読み取る読取装置を供給部１２に設け、記録媒体種情報部６２に入力してもよい。さらには、入力手段により、収納された記録媒体Ｍの種類などの情報を記録媒体種情報部６２に入力してもよい。この記録媒体種情報部６２は、記録媒体に応じた記録媒体情報を演算部５４に出力する。
【００６９】
演算部５４においては、透過率または反射率などの記録媒体情報を補正量の作成パラメータとして用いることにより、濃度測定などが簡素化され、両面プリント時補正ＬＵＴ５６の作成を簡素化できる。さらには、透過率または反射率などの記録媒体情報を補正量の作成パラメータに加えることにより、両面プリント時補正ＬＵＴ５６による色みの変化および濃度の変化の抑制する精度を高くすることができる。
なお、記録媒体種情報部６２は、両面プリント時補正ＬＵＴ５６の作成の簡素化、または両面プリント時補正ＬＵＴ５６の作成精度を高くする必要がない場合には、必ずしも設ける必要がない。
【００７０】
本実施例の画像記録装置１０においては、記録媒体Ｍの表面および裏面の両面に画像を記録する場合において、両面に形成された各画像がそれぞれ反対側の面の画像に、例えば、色みの変化および濃度の変化など影響を与える場合、その影響を抑制し、片面だけに画像を記録して得られる画像と同等の画像を得るために両面プリント時補正ＬＵＴ５６を設けている。さらに、両面プリント画像データにおける各画素の画像データの各補正量の補正テーブルを作成するテーブル変換部５８を設け、この補正テーブルを両面プリント時補正テーブル５２に設定することにより、出力用画像データの表面の画像データおよび裏面の画像データに、色および濃度に基づく補正がされる。これにより、色みの変化および濃度の変化など影響が抑制された補正出力用画像データを得ることができる。この補正出力用画像データにより、画像形成部１６で、表面および裏面に形成された画像による反対側の面に形成された画像への影響が抑制された写真プリントを得ることができる。この写真プリントは、記録媒体Ｍの片側だけに画像を形成したものと同等の画質を有するものである。
【００７１】
なお、本実施例においては、画像形成部１６について、銀塩方式の画像記録装置を用いたが、本発明は、これに限定されるものではない。例えば、電子写真方式、インクジェット方式、および熱溶融方式など適宜要求される画質、またはプリント形態に応じた画像記録方式のものを適宜用いることができる。
【００７２】
次に、本実施例の画像記録装置１０の制御部２０の両面プリント時補正ＬＵＴ５６、テーブル変換部５８および両面プリント時補正テーブル５２の作成方法（本発明の画像記録装置１０の較正方法）について説明する。
本発明の画像記録装置１０の較正方法は、記録媒体Ｍの表面または裏面の片面に画像を記録する場合におけるキャリブレーションが表面および裏面についてなされている状態で行う。
【００７３】
先ず、本実施例の画像記録装置１０における記録媒体Ｍの表面または裏面の片面に画像を記録するための表面用ＬＵＴおよび裏面用ＬＵＴのキャリブレーションについて説明する。
本実施例において、表面用ＬＵＴおよび裏面用ＬＵＴのキャリブレーションは、公知のキャリブレーション方法により行うことができる。なお、片面に画像を記録する場合におけるキャリブレーションは、表面および裏面のいずれの面においても同じ方法であるため、記録媒体Ｍの表面に画像を記録する場合について説明する。
【００７４】
先ず、チャート生成部６０からチャートデータをプリント画像データ変換部５０および演算部５４に供給する。このチャートデータに基づいて、第１像形成部３０ａにより記録媒体Ｍの表面にパッチが記録される。キャリブレーションチャートのパッチの濃度が第１濃度測定部１８ａの濃度計により測定される。第１濃度測定部１８ａの測定結果が演算部５４に出力される。そして、チャートデータに基づく各パッチの濃度と、対応する各パッチの測定濃度との差を算出する。この算出された差が許容範囲内であれば、演算部５４でＬＵＴを作成することなく、そのままキャリブレーションを終了する。
【００７５】
一方、この算出された差が許容範囲から外れる場合には、記録媒体Ｍの表面に記録される各パッチの濃度が差が許容範囲となるように、演算部５４で補正ＬＵＴを新たに作成し、プリント画像データ変換部５０の表面用ＬＵＴを書き換えるか、または、新規の補正ＬＵＴを表面用ＬＵＴに設定する。そして、再度、チャート生成部６０からチャートデータをプリント画像データ変換部５０に出力し、キャリブレーションチャートが形成される。キャリブレーションチャートの各パッチの濃度を第１濃度測定部１８ａの濃度計により測定し、測定結果が演算部５４に出力される。そして、チャートデータに基づく各パッチの濃度と、対応する各パッチの測定濃度との差を算出する。このようにして、算出された差が許容範囲内になるまで繰返し、表面用ＬＵＴを書き換えるか、または、新規の補正ＬＵＴを表面用ＬＵＴに設定をする。
【００７６】
裏面のキャリブレーションについても、表面側と同様にして、チャート生成部６０からチャートデータをプリント画像データ変換部５０および演算部５４に供給し、第２像形成部３０ｂにより、キャリブレーションチャートが形成される。キャリブレーションチャートの各パッチの濃度を第１濃度測定部１８ａの濃度計により測定し、測定結果が演算部５４に出力される。そして、チャートデータに基づく各パッチの濃度と、対応する各パッチの測定濃度との差を算出する。算出された差が許容範囲内になるまで繰返し、プリント画像データ変換部５０の裏面用ＬＵＴを書き換えるか、または、新規の補正ＬＵＴを裏面用ＬＵＴに設定する。
【００７７】
先ず、チャート生成部６０により、両面用のチャートデータをプリント画像データ変換部５０および演算部５４に出力し、第１像形成部３０ａおよび第２像形成部３０ｂにより、記録媒体Ｍの表面および裏面に種々のパッチが記録され、両面用のキャリブレーションチャートを得る。
両面用のキャリブレーションチャートは、複数の白黒およびカラーのパッチを有するものであり、表面側および裏面側の全てのパッチにおいて、表面側のパッチと、この表面側のパッチに対応する裏面側のパッチとはそれぞれ少なくとも色が異なる。なお、画像形成部１６はキャリブレーションされているため、各パッチは、色および濃度が許容範囲内の精度で再現されている。
【００７８】
次に、両面用のキャリブレーションチャートの各パッチの濃度、および記録媒体Ｍにおける画像形成位置（第１の位置情報）を第１濃度測定部１８ａよび第２濃度測定部１８ｂで測定する。
次に、両面用のチャートデータに基づく各パッチの濃度（画素情報）と、対応する各パッチの測定濃度との差を算出する。
次に、記録媒体Ｍの表面および裏面のパッチの組み合わせに基づく、測定濃度の差を求める。すなわち、各パッチの色の組み合わせによる各パッチの色みの変化量および濃度の変化量を求める。
【００７９】
なお、記録媒体の表裏に各パッチは、チャートデータにおける各パッチの記録媒体Ｍでの形成位置を示す位置情報（第２の位置情報）により、表裏の対になるものが特定される。また、第１濃度測定部１８ａよび第２濃度測定部１８ｂによる測定位置が演算部５４に測定濃度とともに各パッチの画像形成位置も出力されている。これにより、測定濃度についても各パッチの位置が特定され、表裏の対応付けがされる。このようにして、種々の色の組み合わせによる色みの変化、および濃度の変化量を求め、これらの変化量に基づいて両面プリント時補正ＬＵＴ５６を作成する。
【００８０】
なお、両面プリント時補正ＬＵＴ５６を２回目以降作成する場合、記録媒体Ｍの変化、機差、または経時変化などが少ない場合には、キャリブレーションチャートの表面および裏面の各パッチについて測定する必要はなく、キャリブレーションチャートの表面または裏面のいずれかの面の各パッチについて測定し、前回の両面プリント時補正ＬＵＴ５６の作成時に算出した補正量を補間することにより、両面プリント時補正ＬＵＴ５６を作成してもよい。
【００８１】
また、記録媒体Ｍの変化、機差、または経時変化などが多い場合、またはキャリブレーションを高い精度で実施したい場合には、上述の如く、キャリブレーションチャートの表面および裏面の各パッチについて測定して、キャリブレーションを実施することが好ましい。
【００８２】
次に、テーブル変換部５８および両面プリント時補正テーブル５２の作成方法について説明する。
例えば、図３（ａ）に示すように、表面の画像７０ａが１６の画素７２ａからなり、各画素７２ａがそれぞれ画像データｆ１〜ｆ１６であるとする。また、図３（ｂ）に示すように、裏面の画像７０ｂが１６の画素７２ｂからなり、各画素７２ｂがそれぞれ画像データｂ１〜ｂ１６であるとする。このとき、表面側および裏面側のそれぞれ対応する画素の画像データを組み合わせた表裏の画像データ対（ｆ１、ｂ４）、（ｆ２、ｂ３）、・・・、（ｆ１６、ｂ１３）を作成する。
【００８３】
次に、画像データ対（ｆ１、ｂ４）、（ｆ２、ｂ３）、・・・、（ｆ１６、ｂ１３）と、両面プリント時補正ＬＵＴ５６の補正量とを対応付けて、画像データ対（ｆ１、ｂ４）、（ｆ２、ｂ３）、・・・、（ｆ１６、ｂ１３）における各画像データｆ１〜ｆ１６およびｂ１〜ｂ１６について、それぞれ図３（ｃ）および（ｄ）に示すように補正量ｄ１〜ｄ１６およびｈ１〜ｈ１６を算出する。
ここで、補正量ｄ１〜ｄ１６は、表面側の各画像ブロック７２ａの画像データｆ１〜ｆ１６について算出されたものである。また、補正量ｈ１〜ｈ１６は、裏面側の各画像ブロック７２ｂの画像データｂ１〜ｂ１６についても算出されたものでもある。
【００８４】
次に、表面側の各画像ブロック７２ａの各補正量ｄ１〜ｄ１６、および裏面側の各画像ブロック７２ｂの各補正量ｈ１〜ｈ１６を示す補正テーブル（図示せず）を作成する。
次に、各画素７２ａ、７２ｂ毎の補正量ｄ１〜ｄ１６およびｈ１〜ｈ１６を示す補正テーブルを両面プリント時補正テーブル５２に出力し、両面プリント時補正テーブル５２を変更する。これにより、画像記録装置１０のキャリブレーションが終了する。
【００８５】
本実施例の画像記録装置１０の較正方法においては、出力用画像データの表面の画像データおよび裏面の画像データについて、色みおよび濃度の補正をし、画像の色みの変化および濃度の変化など影響が抑制された補正出力用画像データが得られる両面プリント時補正テーブル５２が作成される。
【００８６】
また、本実施例のテーブル変換部５８においては、写真プリントＰの表面Ｐｆおよび裏面Ｐｂに記録する各画像の重要度に応じて補正量を調整してもよい。例えば、表面Ｐｆの画質を重視する場合には、表面Ｐｆのプリント画像データについて補正量を求め、裏面Ｐｂのプリント画像データについて補正量を求めずに補正テーブルを作成する。このように、テーブル変換部５８により、要求される画質に応じて、表面または裏面に形成される画像データに重みを付けて、適宜補正テーブルを設定してもよい。
【００８７】
次に、本実施例の画像記録装置１０による両面画像記録方法について説明する。
先ず、プリント画像データ入力部４０から、記録媒体Ｍの両面に画像を記録するための両面プリント画像データをプリント画像データ変換部５０およびテーブル変換部５８に出力する。
【００８８】
次に、プリント画像データをプリント画像データ変換部５０で出力画像用データに変換する。一方、テーブル変換部５８において、プリント画像データおよび両面プリント時補正ＬＵＴ５６により、表面側の画像の各画素、および裏面側の画像の各画素における補正テーブルが作成される。この補正テーブルにより、両面プリント時補正テーブル５２が設定される。
【００８９】
次に、両面プリント時補正テーブル５２により、出力用画像データに表裏の色みおよび濃度の補正を施す。これにより、表裏の色みの変化および濃度の変化などの影響が排除された補正出力用画像データを得る。次に、この補正出力用画像データを画像形成部１６に出力する。
【００９０】
補正出力用画像データに基づいて、画像形成部１６により記録媒体Ｍの両面に画像を記録し、写真プリントＰを得る。この写真プリントＰは、表面Ｐｆおよび裏面Ｐｂに記録された各画像による反対側の面に形成された画像への影響が抑制されたものであり、記録媒体Ｍの片側だけ画像を記録して得られた写真プリントと同等の画質を有する。
このように、本実施例の画像記録装置１０においては、記録媒体Ｍの両面に高品質な画像を形成することができ、写真プリントＰの表面Ｐｆおよび裏面Ｐｂに記録された画像には、色みの変化および濃度の変化が抑制され、片面にだけ画像が形成された写真プリントと同等の高品質の写真プリントＰを得ることができる。
【００９１】
なお、本実施例の画像記録装置１０においては、記録媒体Ｍの表面または裏面の片側だけ画像を記録できることはいうまでもなく、この場合においても、高品質の画像を有する写真プリントが得られる。
【００９２】
以上、本発明の画像記録装置およびその較正方法について詳細に説明したが、本発明は上記実施例に限定はされず、本発明の要旨を逸脱しない範囲において、各種の改良および変更を行ってもよいのはもちろんである。
【図面の簡単な説明】
【００９３】
【図１】本発明の実施例に係る画像記録装置を示す模式図である。
【図２】本発明の実施例に係る画像記録装置の制御部を示すブロック図である。
【図３】（ａ）は、記録媒体の表面の画像の構成を示す模式図であり、（ｂ）は、記録媒体の裏面の画像の構成を示す模式図であり、（ｃ）は、記録媒体の表面の画像の各画素の補正量を示す模式図であり、（ｄ）は、記録媒体の裏面の画像の各画素の補正量を示す模式図である。
【符号の説明】
【００９４】
１０  画像記録装置
１２  供給部
１４  裏印字部
１６  画像形成部
１８ａ  第１濃度測定部
１８ｂ  第２濃度測定部
２０  制御部
４０  プリント画像データ入力部
５０  プリント画像データ変換部
５２  両面プリント時補正テーブル
５４  演算部
５６  両面プリント時補正ＬＵＴ
５８  テーブル変換部
６０  チャート生成部
６２  記録媒体種情報部
７０ａ  表面の画像
７０ｂ  裏面の画像
７２ａ，７２ｂ  画素
【図１】
2006247927.tif 000003
【図２】
2006247927.tif 000004
【図３】
2006247927.tif 000005